(57)【要約】【課題】金融機関等の現金自動取引装置において、カード挿入部表面上に被装されたスキミング装置を検出するスキミング装置検出システムを提供する。【解決手段】金融機関等で使用する現金自動取引装置と、該現金自動取引装置のカードリーダのカード挿入部を含む取引操作面を撮像するオートフォーカス制御機能付き撮像装置において、前記カード挿入部面にスキミング装置が被装されたり、前記取引操作面にスキミング装置を含む偽取引操作パネルが被装されたとき、前記撮像装置が前記スキミング装置までの焦点距離の変化を検出して、前記オートフォーカス制御機能を駆動するオートフォーカス制御部から、その撮像距離情報を得る距離演算部を有し、該距離演算部が、前記撮像距離情報があらかじめ定められた範囲以内にあるときスキミング装置が被装されたと判断し警報信号を出力する機能を備えている。【選択図】  図１
2008225670.tif 000002
【特許請求の範囲】
【請求項１】
金融機関等で使用する現金自動取引装置と、該現金自動取引装置のカードリーダのカード挿入部を含む取引操作面を撮像するオートフォーカス制御機能付き撮像装置において、
前記カード挿入部面にスキミング装置が被装されたり、又は前記取引操作面にスキミング装置を含む偽取引操作パネルが被装されたとき、前記撮像装置が前記スキミング装置までの焦点距離の変化を検出して、前記オートフォーカス制御機能を駆動するオートフォーカス制御部から、その撮像距離情報を得る距離演算部を有し、
該距離演算部が、前記撮像距離情報があらかじめ定められた範囲以内にあるときスキミング装置が被装されたと判断し警報信号を出力する機能を備えてなることを特徴とするスキミング装置検出システム。
【請求項２】
前記距離演算部が、前記撮像距離情報があらかじめ定められた範囲以内にあり、かつ定められた時間経過後もその値を維持する場合にスキミング装置が被装されたと判断し警報信号を出力する機能を備えてなることを特徴とする請求項１に記載のスキミング装置検出システム。
【請求項３】
前記撮像装置が、前記カード挿入部表面画像、又は前記取引操作部の一部の画像を抽出するゲート部を備え、
前記抽出した画像の高周波成分によりオートフォーカス制御する機能を備えてなることを特徴とする請求項１又は２に記載のスキミング装置検出システム。
【請求項４】
前記撮像装置が、１式の該撮像装置によって複数の前記現金自動取引装置を撮像し、該現金自動取引装置のカード挿入部表面画像、又は前記取引操作部の一部の画像を抽出する複数のゲート回路を有するゲート部と、該複数のゲート回路から抽出した画像の高周波成分によりオートフォーカス制御を順次行い、前記現金自動取引装置のいずれか、又は全てにスキミング装置が被装されたとき、前記スキミング装置までの焦点距離の変化を検出し、前記オートフォーカス制御部から出力されたそれぞれの撮像距離情報を得る距離演算部と、を備え、
前記距離演算部が、前記撮像距離情報が前記複数の前記現金自動取引装置ごとにあらかじめ設定された範囲以内にあるときスキミング装置が被装されたと判断し警報信号を出力する機能を備えてなることを特徴とする請求項１〜３のいずれか１項に記載のスキミング装置検出システム。
【請求項５】
前記距離演算部が、前記撮像距離情報が前記複数の前記現金自動取引装置ごとにあらかじめ設定された範囲以内にあるときスキミング装置が被装されたと判断し、その判断結果に基づいて前記スキミング装置が被装された装置を特定した警報信号を出力する機能を備えてなることを特徴とする請求項４に記載のスキミング装置検出システム。
【請求項６】
前記現金自動取引装置が、前記距離演算部からの警報信号を受信したとき前記取引操作部の操作制御を停止する機能を備えてなることを特徴とする請求項１〜５のいずれか１項に記載のスキミング装置検出システム。
【請求項７】
前記距離演算部が、前記スキミング装置が被装されたと判断したとき、所定の場所へ警報信号を送信する機能を備えてなることを特徴とする請求項１〜６のいずれか１項に記載のスキミング装置検出システム。
【請求項８】
前記現金自動取引装置が、前記距離演算部からの警報信号を受信したとき所定の場所に「現金自動取引装置取り扱い停止中」等の表示をする機能を備えてなることを特徴とする請求項１〜７のいずれか１項に記載のスキミング装置検出システム。
【請求項９】
前記撮像装置が、時計部を有し、前記距離演算部からの警報信号を受信した時点の前記時計部から出力された年月日時刻を映像信号に重畳する機能を備えてなることを特徴とする請求項１〜８のいずれか１項に記載のスキミング装置検出システム。
【請求項１０】
前記オートフォーカス制御部が、対物レンズのフォーカスレンズ群を前後方向に振動する駆動機構を備えて合焦位置を検出する山登りサーボ方式によるオートフォーカス制御機能を制御して被写体に合焦し、合焦位置の前記撮像距離情報を出力する機能を備えてなることを特徴とする請求項１〜９のいずれか１項に記載のスキミング装置検出システム。
【請求項１１】
前記オートフォーカス制御部が、前記撮像装置の固体撮像素子を前後方向に振動する駆動機構を備えて合焦位置を検出する山登りサーボ方式によるオートフォーカス制御機能を制御して被写体に合焦し、合焦位置の前記撮像距離情報を出力する機能を備えてなることを特徴とする請求項１〜９のいずれか１項に記載のスキミング装置検出システム。
【請求項１２】
前記撮像装置が、オートフォーカス機能付きズームレンズを有し、警報信号を受信したとき、前記操作部を撮像する状態から前記現金自動取引装置前方の人物が撮像できる位置までレンズの焦点距離を広角側に移動制御できる機能を備えてなることを特徴とする請求項１〜１１のいずれか１項に記載のスキミング装置検出システム。
【請求項１３】
前記撮像装置が、さらに該撮像装置の出力映像信号を常に書き換えながら所定時間録画できるメモリ部と、同様に前記撮像装置の出力映像信号の録画・再生装置と、を備え、
前記撮像装置が、前記距離演算部が警報信号を出力したとき前記メモリ部の書き換え動作を停止すると同時に前記録画・再生装置を作動し、前記メモリ部の所定時間録画終了時の画像に継続して前記録画・再生装置に所定時間録画する機能を備えてなることを特徴とする請求項１〜１２のいずれか１項に記載のスキミング装置検出システム。
【発明の詳細な説明】
【技術分野】
【０００１】
本発明は、金融機関等で使用する現金自動取引装置利用者の個人情報スキミング監視装置に関する。
【背景技術】
【０００２】
近年、銀行内、コンビニエンスストア内のほか利用者の利便を図るため駅構内や利用者の多い店舗の周囲に現金自動取引装置を設置し、無人あるいはその状態に近い環境で提供されるケースが多い。
【０００３】
行内、店舗内では監視カメラ装置が設置されていて、かつ人が巡回したりして監視できるが、屋外に設置された無人の現金自動取引装置設置場所には安全を期するため単に監視するだけでなく、特許文献１の如く、所定の時刻に入力制御部がタイミング信号を受けて、重力センサからの出力を入力部から比較部に送信し、比較部では正規重量記憶部から読み出した構成機器の正規の重量と入力した重量とを比較する。
比較した重量差が所定の値を超えない場合は不正の動作がなかったものとして次の測定タイミングを待ち、比較した重量差が所定の値を超えた場合には異常検出部に超過信号を出力し、異常検出部は不正行為の対象となる構成機器に異常が発生したと判断して異常警報を情報不正読み出し防止対象装置の表示部及び異常連絡部に出力することにより、不正行為の対象となる構成機器に設けられた重量センサによって重量の変化を検出して、スキミング装置などの不正器材が追加されたことを検出する不正器材取り付け検出装置を構成している。
【特許文献１】特許公開２００６−３３８３５６号
【発明の開示】
【発明が解決しようとする課題】
【０００４】
しかし、前記重量センサを現金自動取引装置構成機器の不正行為の対象となる構成機器に検出装置を取り付けるための改造や、設置工事が必要となり、さらに、既設の現金自動取引装置に重量センサ及び不正器材取り付け検出装置を装着するのは大改造となる恐れがある。
【０００５】
また、前記構成器材の磁気カード読み取り装置に重量センサを装着した場合、顧客が通常の取引のため磁気カードなどを使用するときにも重量センサが作動する危険性があり、検出精度の信頼性が損なわれる。
【０００６】
さらに、最近はデジタル技術を応用したタバコの箱程度に小型化、軽量化され、正規現金自動取引装置のカード挿入口と殆ど見分けることができない外観形状のスキミング装置が秘密裏に開発され、正規磁気カード読み取り装置外側表面に触れないように前記スキミング装置が被装された場合、顧客はキャッシュカード又はクレジットカード等磁気カードが正常に使用できるため、不正機器の発見は極めて困難である。
【０００７】
さらにまた、壁にはめ込められた正規現金自動取引装置の取引操作部面上に、正規取引操作部の外観形状に似せた、スキミング装置を含む偽取引操作パネルを被装する手法のものも想定され、正規磁気カード読み取り装置外側表面に触れないように前記スキミング装置を含む偽取引操作部が被装された場合、不正機器の発見は容易ではない。
【課題を解決するための手段】
【０００８】
本願発明者は、上記課題を下記の手段により解決した。
（１）金融機関等で使用する現金自動取引装置と、該現金自動取引装置のカードリーダのカード挿入部を含む取引操作面を撮像するオートフォーカス制御機能付き撮像装置において、
前記カード挿入部面にスキミング装置が被装されたり、又は前記取引操作面にスキミング装置を含む偽取引操作パネルが被装されたとき、前記撮像装置が前記スキミング装置までの焦点距離の変化を検出して、前記オートフォーカス制御機能を駆動するオートフォーカス制御部から、その撮像距離情報を得る距離演算部を有し、
該距離演算部が、前記撮像距離情報があらかじめ定められた範囲以内にあるときスキミング装置が被装されたと判断し警報信号を出力する機能を備えてなることを特徴とするスキミング装置検出システム。
【０００９】
（２）前記距離演算部が、前記撮像距離情報があらかじめ定められた範囲以内にあり、かつ定められた時間経過後もその値を維持する場合にスキミング装置が被装されたと判断し警報信号を出力する機能を備えてなることを特徴とする前項（１）に記載のスキミング装置検出システム。
【００１０】
（３）前記撮像装置が、前記カード挿入部表面画像、又は前記取引操作部の一部の画像を抽出するゲート部を備え、
前記抽出した画像の高周波成分によりオートフォーカス制御する機能を備えてなることを特徴とする前項（１）又は（２）に記載のスキミング装置検出システム。
【００１１】
（４）前記撮像装置が、１式の該撮像装置によって複数の前記現金自動取引装置を撮像し、該現金自動取引装置のカード挿入部表面画像、又は前記取引操作部の一部の画像を抽出する複数のゲート回路を有するゲート部と、該複数のゲート回路から抽出した画像の高周波成分によりオートフォーカス制御を順次行い、前記現金自動取引装置のいずれか、又は全てにスキミング装置が被装されたとき、前記スキミング装置までの焦点距離の変化を検出し、前記オートフォーカス制御部から出力されたそれぞれの撮像距離情報を得る距離演算部と、を備え、
前記距離演算部が、前記撮像距離情報が前記複数の前記現金自動取引装置ごとにあらかじめ設定された範囲以内にあるときスキミング装置が被装されたと判断し警報信号を出力する機能を備えてなることを特徴とする前項（１）〜（３）のいずれか１項に記載のスキミング装置検出システム。
【００１２】
（５）前記距離演算部が、前記撮像距離情報が前記複数の前記現金自動取引装置ごとにあらかじめ設定された範囲以内にあるときスキミング装置が被装されたと判断し、その判断結果に基づいて前記スキミング装置が被装された装置を特定した警報信号を出力する機能を備えてなることを特徴とする前項（４）に記載のスキミング装置検出システム。
【００１３】
（６）前記現金自動取引装置が、前記距離演算部からの警報信号を受信したとき前記取引操作部の操作制御を停止する機能を備えてなることを特徴とする前項（１）〜（５）のいずれか１項に記載のスキミング装置検出システム。
【００１４】
（７）前記距離演算部が、前記スキミング装置が被装されたと判断したとき、所定の場所へ警報信号を送信する機能を備えてなることを特徴とする前項（１）〜（６）のいずれか１項に記載のスキミング装置検出システム。
【００１５】
（８）前記現金自動取引装置が、前記距離演算部からの警報信号を受信したとき所定の場所に「現金自動取引装置取り扱い停止中」等の表示をする機能を備えてなることを特徴とする前項（１）〜（７）のいずれか１項に記載のスキミング装置検出システム。
【００１６】
（９）前記撮像装置が、時計部を有し前記距離演算部からの警報信号を受信した時点の前記時計部から出力された年月日時刻を出力映像信号に重畳する機能を備えてなることを特徴とする前項（１）〜（８）のいずれか１項に記載のスキミング装置検出システム。
【００１７】
（１０）前記オートフォーカス制御部が、対物レンズのフォーカスレンズ群を前後方向に振動する駆動機構を備えて合焦位置を検出する山登りサーボ方式によるオートフォーカス制御機能を制御して被写体に合焦し、合焦位置の前記撮像距離情報を出力する機能を備えてなることを特徴とする前項（１）〜（９）のいずれか１項に記載のスキミング装置検出システム。
【００１８】
（１１）前記オートフォーカス制御部が、前記撮像装置の固体撮像素子を前後方向に振動する駆動機構を備えて合焦位置を検出する山登りサーボ方式によるオートフォーカス制御機能を制御して被写体に合焦し、合焦位置の前記撮像距離情報を出力する機能を備えてなることを特徴とする前項（１）〜（９）のいずれか１項に記載のスキミング装置検出システム。
【００１９】
（１２）前記撮像装置が、オートフォーカス機能付きズームレンズを有し、警報信号を受信したとき、前記取引操作部を撮像する状態から現金自動取引装置前方の人物が撮像できる位置までレンズの焦点距離を広角側に移動制御できる機能を備えてなることを特徴とする前項（１）〜（１１）のいずれか１項に記載のスキミング装置検出システム。
【００２０】
（１３）前記撮像装置が、さらに該撮像装置の出力映像信号を常に書き換えながら所定時間録画できるメモリ部と、同様に前記撮像装置の出力映像信号の録画・再生装置と、を備え、
前記撮像装置が、前記距離演算部が警報信号を出力したとき前記メモリ部の書き換え動作を停止すると同時に前記録画・再生装置を作動し、前記メモリ部の所定時間録画終了時の画像に継続して前記録画・再生装置に所定時間録画する機能を備えてなることを特徴とする前項（１）〜（１２）のいずれか１項に記載のスキミング装置検出システム。
【発明の効果】
【００２１】
本願発明により次のような効果が発揮される。
１．本願請求項１の発明によれば、
前記距離演算部が、前記撮像距離情報があらかじめ定められた範囲以内にあるときスキミング装置が被装されたと判断し警報信号を出力する機能を備えているので、例えば、屋外に設置された無人の現金自動取引装置設置場所で、他人の暗証番号等個人情報を盗み取るため現金自動取引装置の正規のカード挿入部外側表面にスキミング装置を被装したとき、その撮像距離情報からスキミング装置が被装されたことを検出し、警報信号を出力して報知できるので、未然に事故を防止することができる。
【００２２】
前記撮像装置で撮像した撮像距離情報から前記スキミング装置が被装されたことを検出できるので、既設の現金自動取引装置に手を加えることなく、スキミング装置検出システムを構築することができる。
【００２３】
撮像距離情報の変化を検出する方式のため、正規カード挿入部外側表面と全く同一デザイン、同一色のスキミング装置が被装されても検出して警報信号を出力し報知できるので、廉価なモノクローム方式の撮像装置であってもスキミング装置を監視・検出して、未然に事故を防止することができる。
【００２４】
また、撮像距離情報の変化を検出する方式のため、正規カード挿入部外側表面と全く異なるデザイン、色違いであっても検出して警報信号を出力し報知できるので、信頼性が高く、未然に事故を防止することができる。
【００２５】
前記距離演算部が、前記撮像距離情報があらかじめ定められた範囲以内にあるときスキミング装置が被装されたと判断し警報信号を出力する機能を備えているので、手をかざしたり、人が画面内に入っても誤作動を防止できるので、安定性、信頼性に優れたスキミング装置検出システムを提供することができる。
【００２６】
天井など、人に気づかれにくいところに撮像装置を設置し、スキミング装置を監視・検出できるので、レンズ視野を何らかの手段で覆う等の被害を受けにくく、安全性に優れたスキミング装置検出システムを構築することができる。
【００２７】
２．本願請求項２の発明によれば、
請求項１の効果に加えて、前記距離演算部が、前記撮像距離情報があらかじめ定められた範囲以内にあり、かつ定められた時間経過後もその値を維持する場合にスキミング装置が被装されたと判断し警報信号を出力する機能を備えているので、スキミング装置が被装されていない場合でも、利用者がカード挿入部にカードを挿入するなど、前記スキミング装置高さ位置と同じ撮像位置の手などを撮像しても、一定時間経過後に再度計測するまで警報信号を出力しない。したがってスキミング装置検出システムは作動しないので、誤作動を生じる恐れの極めて少ない、安定性、信頼性に優れたスキミング装置検出システムを構築することができる。
【００２８】
３．本願請求項３の発明によれば、
請求項１及び請求項２の効果に加えて、前記撮像装置が、前記カード挿入部表面画像、又は前記取引操作部の一部の画像を抽出するゲート部を備えているので、ゲート部で抽出された画像のみの高周波成分によりピント位置の変化を検出する方式のため、抽出画像以外の画像領域に利用者の手や、物を前記取引操作部近辺に載置しても、誤作動を生じる恐れの極めて少ない、安定性、信頼性に優れたスキミング装置検出システムを構築することができる。
【００２９】
４．本願請求項４の発明によれば、
請求項１〜請求項３の効果に加えて、前記撮像装置が、１式の該撮像装置によって複数の前記現金自動取引装置を撮像し、該現金自動取引装置のカード挿入部表面画像、又は前記取引操作部の一部の画像を抽出する複数のゲート回路を有するゲート部と、該複数のゲート回路から抽出した画像の高周波成分によりオートフォーカス制御を順次行い、前記現金自動取引装置のいずれか、又は全てにスキミング装置が被装されたとき、前記スキミング装置までの焦点距離の変化を検出し、前記オートフォーカス制御部から出力されたそれぞれの撮像距離情報を得る距離演算部とを備えているので、１台の前記撮像装置の複数のゲート回路で抽出された複数のカード挿入部表面画像の高周波成分によりピント位置の変化を順次検出する方式のため、経済的なスキミング装置検出システムを構築することができる。
【００３０】
５．本願請求項５の発明によれば、
請求項１〜請求項４の効果に加えて、前記距離演算部が、前記撮像距離情報が前記複数の前記現金自動取引装置ごとにあらかじめ設定された範囲以内にあるときスキミング装置が被装されたと判断し、その判断結果に基づいて前記スキミング装置が被装された装置を特定した警報信号を出力する機能を備えているので、どの現金自動取引装置から警報が発せられたのか直ちに判断でき、不正行為事件処置が迅速に行える。
【００３１】
６．本願請求項６の発明によれば、
請求項１〜請求項５の効果に加えて、前記現金自動取引装置が、前記距離演算部からの警報信号を受信したとき前記取引操作部の操作制御を停止する機能を備えているので、例えば、操作部の取引操作画面を表示しないようにすれば、顧客が異常に気づきスキミング被害を未然に防止できる。
【００３２】
７．本願請求項７の発明によれば、
請求項１〜請求項６の効果に加えて、前記現金自動取引装置が、前記距離演算部からの警報信号を受信したとき所定の場所へ警報信号を送信する機能を備えているので、例えば、警備又は監視担当部署に送信されれば、直ちに異常を検出した現金自動取引装置装置の設置現場に急行できるので、スキミング被害を未然に防止できる。
【００３３】
８．本願請求項８の発明によれば、
請求項１〜請求項７の効果に加えて、前記現金自動取引装置が、前記距離演算部からの警報信号を受信したとき所定の場所に「現金自動取引装置取り扱い停止中」等の表示をする機能を備えているので、顧客に対して周知でき、かつスキミング被害を未然に防止できる。
【００３４】
９．本願請求項９の発明によれば、
請求項１〜請求項８の効果に加えて、前記撮像装置が、時計部を有し前記距離演算部からの警報信号を受信した時点の前記時計部から出力された年月日時刻を映像信号に重畳して出力する機能を備えているので、スキミング装置が被装された時点の年月日時刻を特定することができ、不正行為事件解決のための貴重な情報とすることができる。
【００３５】
１０．本願請求項１０又は１１の発明によれば、
請求項１〜請求項９の効果に加えて、前記オートフォーカス制御部が、対物レンズのフォーカスレンズ群を前後方向に振動する駆動機構、又は前記撮像装置の固体撮像素子を前後方向に振動する駆動機構を備えて合焦位置を検出する山登りサーボ方式によるオートフォーカス制御機能を制御して被写体に合焦し、合焦位置の前記撮像距離情報を出力する機能を備えているので、
前記カード挿入部面にスキミング装置が被装されたり、又は前記取引操作面にスキミング装置を含む偽取引操作パネルが被装されたとき、直ちに前記スキミング装置までの焦点距離の変化を検出して前記撮像距離情報を出力することができ、迅速な不正行為事件検出処理に役立つ。
【００３６】
１１．本願請求項１２の発明によれば、
請求項１〜請求項１１の効果に加えて、前記撮像装置が、オートフォーカス機能付きズームレンズを有し、警報信号を受信したとき、前記操作部を撮像する状態から現金自動取引装置前部の人物が撮像できる位置までレンズの焦点距離を広角側に移動制御できる機能を備えているので、例えば、スキミング装置を取り付けた当該現金自動取引装置から逃げだそうとする離れた位置の犯人像まで撮像することができる。
【００３７】
１２．本願請求項１３の発明によれば、
請求項１〜請求項１２の効果に加えて、前記撮像装置が、さらに該撮像装置の出力映像信号を常に書き換えながら所定時間録画できるメモリ部と、同様に前記撮像装置の出力映像信号の録画・再生装置と、を備え、
前記距離演算部が警報信号を出力したとき、前記メモリ部の書き換え動作を停止すると同時に前記録画・再生装置を作動し、前記メモリ部の所定時間録画終了時の画像に継続して前記録画・再生装置に所定時間録画する機能を備えているので、スキミング装置を被装した時刻から所定時間遡って録画された前記メモリ部の映像信号と、この映像信号に引き続き前記録画・再生装置に記録された映像信号を確認することができ、犯人像を特定できる画像証拠として役立てることができる。
【発明を実施するための最良の形態】
【００３８】
本願発明を実施するための最良の形態を実施例図に基づいて詳細に説明する。  図１は本願発明のスキミング装置検出システムの実施例模式図である。
【００３９】
本願発明のスキミング装置検出システムは、金融機関等で使用する現金自動取引装置（以後、ＡＴＭと記述）のカードリーダ部外側表面のカード挿入部に、正規ＡＴＭのカード挿入部と殆ど見分けることができない外観で、カード挿入・返却搬送が可能なカード挿入部を備えたスキミング装置が秘密裏に被装されたとき、スキミング装置自身の厚みの変化を撮像装置によって自動的に検出発見し、警報信号を発報し、かつスキミング装置被装時の日時と、被装前後の状況を撮像し録画するものである。
【００４０】
図１において、スキミング装置検出システム１は、金融機関等で使用するＡＴＭ２と、該ＡＴＭ２に装着されたカードリーダ部のカード挿入部３外側表面までの撮像距離情報信号を出力でき、かつカード挿入部３、又は前記ＡＴＭ２の取引操作部４を撮像するオートフォーカス（以後、ＡＦと記述）制御機能付きレンズ６を装着した撮像装置７と、前記カード挿入部３外側表面に図示しないスキミング装置が被装されたり、又は前記取引操作部４面にスキミング装置を含む図示しない偽取引操作パネルが被装されたとき、前記スキミング装置のカード挿入部外側表面を撮像したピント位置の前記撮像距離情報があらかじめ定められた範囲以内にあるとき、スキミング装置が被装されたと判断し警報信号２０を出力する機能を備えた距離演算部１９と、前記撮像装置７の出力映像信号を録画・再生できる録画・再生装置２１と、撮像装置７の映像出力信号及び録画・再生信号の画像を監視できるモニタ２２で構成されている。
【００４１】
また、前記撮像装置７は、ピント位置距離情報信号を出力できるＡＦ制御機能付きレンズ６と、該レンズ６で撮像したカード挿入部３、又は前記ＡＴＭ２の取引操作部４の光学像を光電変換する固体撮像素子９と、該固体撮像素子９からの出力信号をガンマ補正等正規映像信号に波形成形し出力するカメラ回路１０と、該カメラ回路１０から出力された映像信号の内、前記ＡＴＭ２に装着されたカードリーダ部のカード挿入部３外側表面付近の画像のみを抽出するゲート（ＧＡＴＥ）部１５と、該ゲート部１５で抽出された画像の高周波成分により前記ＡＦ制御機能付きレンズ６のフォーカスレンズ群８を駆動機構１３で前後⇔方向に振動させながら公知技術による山登り方式でＡＦ制御するＡＦ制御部１４と、前記距離演算部１９と、前記カメラ回路１０から出力された映像信号を常に書き換えながら所定時間録画できるメモリ部１１と、年月日時刻を生成しメモリ部１１から出力された映像信号に年月日時刻を重畳する時計部１６と、前記距離演算部１９が警報信号２０を出力したとき、前記メモリ部１１の書き換え動作を停止すると同時に前記録画・再生装置２１を作動し、前記メモリ部１１の所定時間録画終了時の映像に継続して映像出力端子１２から出力された映像を録画・再生できる録画・再生装置２１を所定時間制御する録画制御部１７と、録画制御信号出力端子１８とで構成されている。
【００４２】
ＡＴＭ２のカード挿入部３部分をできるだけ正面上部から撮像できる位置に、カード挿入部３表面までの撮像距離情報信号を出力でき、かつＡＦ制御機能付きのレンズ６を装着した撮像装置７を取り付ける。
【００４３】
前記ＡＦ制御部１４は、前記ＡＦ制御機能付きレンズ６のフォーカスレンズ群８を駆動機構１３によって前後⇔方向に振動させながら公知技術による山登りサーボ方式でＡＦ制御する。
【００４４】
前記撮像装置７の固体撮像素子９で光電変換され前記カメラ回路１０から出力された映像信号による１フレーム画面内のカード挿入部３近辺の画像をゲート部１５で抜き出し、これを合焦検出領域映像信号とする。
【００４５】
まず、ＡＦ制御機能付きのレンズ６で正規カード挿入部３を撮像し、前記レンズ６から出力された前記正規カード挿入部３表面位置の距離情報信号を合焦検出領域映像信号の第１ピント位置として前記距離演算部１９へ出力できることを確認する。
【００４６】
次に、距離演算部１９において、図示しないスキミング装置の外観形状の高さ方向表面位置の想定される距離情報を第２ピント位置として、距離情報信号の許容範囲の上限値及び下限値を設定する。
【００４７】
スキミング装置が正規カード挿入部３上に被装された場合、直ちにレンズ６のＡＦ制御機能が作動し、前記スキミング装置のカード挿入部にピントが合った映像信号がカメラ回路１０から出力され、、ゲート部１５で抜き出されて第２ピント位置の合焦検出領域映像信号となり、前記ＡＦ制御部１４から第２ピント位置距離情報信号として前記距離演算部１９へ出力する。
【００４８】
距離演算部１９では、前記第２ピント位置の距離情報が第１ピント位置から変化し、かつ前記第２ピント位置の許容範囲として設定した上限値と下限値以内であるかを比較演算し、設定範囲以内のとき異常と判断し警報信号２０を出力する。
【００４９】
また、前記ゲート部１５が、図示しない複数のゲート回路を備えていれば、１台の前記撮像装置７で複数台の前記ＡＴＭ２のカード挿入部３を撮像し、それぞれのカード挿入部３の位置画像を前記ゲート回路で抽出できるようにして、該複数のゲート回路から抽出した画像の高周波成分により公知技術によるオートフォーカス制御を順次行い、前記ＡＴＭ２のいずれか、又は全てにスキミング装置が被装されたとき、前記スキミング装置までの焦点距離の変化を検出し、前記ＡＦ制御部１４から出力されたそれぞれの撮像距離情報を得る距離演算部１９を備えていて、前記距離演算部１９が、前記撮像距離情報が前記複数のＡＴＭ２ごとにあらかじめ設定された上限値と下限値の範囲以内にあるときスキミング装置が被装されたと判断し警報信号２０を出力する機能を備えている。
【００５０】
また、前記距離演算部１９が、前記撮像距離情報が前記複数の前記ＡＴＭ２ごとにあらかじめ設定された上限値と下限値の範囲以内にあるときスキミング装置が被装されたと判断し、その判断結果に基づいて前記スキミング装置が被装された装置を特定した警報信号２０を出力する機能を備えている。
【００５１】
このとき、スキミング装置が被装されていない場合は、顧客が正規カード挿入部３にカードを挿入するなどしたときの誤作動防止のため、計測後、さらに一定時間経過後に再度計測して第１ピント位置距離情報信号が出力されていることを判断し警報信号２０を出力しない。
【００５２】
また、前記ＡＴＭ２が、前記距離演算部１９からの警報信号２０を受信したとき操作画面制御部５を制御し、前記取引操作部４の操作制御を停止する機能を備えていることが好ましい。
【００５３】
さらに、前記ＡＴＭ２が、前記距離演算部１９からの警報信号２０を受信したとき所定の場所へ警報信号２０を送信する機能を備えていれば、例えば、警備又は監視担当部署に警報信号２０が送信され、しかるべき方法で報知できれば、異常を検出したＡＴＭ２の設置現場に直ちに急行できるので、スキミング被害を未然に防止できる。
【００５４】
さらにまた、前記ＡＴＭ２が、前記距離演算部１９からの警報信号２０を受信したとき所定の場所に「現金自動取引装置取り扱い停止中」等の表示をする機能を備えていれば、顧客に対して周知でき、かつスキミング被害を未然に防止できる。
【００５５】
一方、カメラ回路１０から出力された映像信号はメモリ部１１に入力し記憶される。メモリ部１１はその記憶容量が一杯になると、先に入力された映像信号を消去し、新たな映像信号が記憶され続ける。
【００５６】
ここで、距離演算部１９から録画制御部１７へ警報信号２０が入力されると、録画制御部１７は、前記メモリ部１１の書き換え動作を停止すると同時に前記録画・再生装置２１を作動し、前記メモリ部１１の所定時間録画終了時の映像信号に継続して映像出力端子１２から出力された映像信号を前記録画・再生装置２１に所定時間録画する制御機能を備えていて、録画制御信号出力端子１８から出力された録画制御信号により前記録画・再生装置２１が作動する。
【００５７】
また、時計部１６を有しているので、前記距離演算部１９からの警報信号２０を受信した時点の前記時計部１６から出力された年月日時刻を出力映像信号に重畳して出力する機能を備えているので、スキミング装置が被装された年月日時刻を特定することができ、不正行為事件解決のための貴重な情報とすることができる。
【００５８】
さらに、スキミング装置を被装した時刻から所定時間遡って録画された前記メモリ部１１の映像信号と、この映像信号に引き続き前記録画・再生装置２１に記録された映像信号をを確認することができ、犯人像を特定できる画像証拠として役立てることができる。
【００５９】
その他、前記撮像装置７が、オートフォーカス機能付きズームレンズ６を装着し、警報信号２０を受信したとき、前記カード挿入部３を撮像する状態からＡＴＭ２前方の人物が撮像できる位置までレンズ６の焦点距離を広角側に移動制御できる機能を備えているので、例えば、スキミング装置を取り付けた当該ＡＴＭ２から逃げだそうとする離れた位置の犯人像まで撮像することができる。
【００６０】
以上の説明において、正規カード挿入部３上にスキミング装置が被装された場合について記述したが、例えば、ＡＴＭ２の取引操作部４に似せた形で、スキミング装置を含む偽取引操作パネルが正規取引操作部４上に被装される場合も想定され、その場合も当該スキミング装置を第２ピント位置として認識できるようゲート部１５を設定し、さらに、第２ピント位置の許容範囲の上限値及び下限値を対応するように設定することが好ましい。
【００６１】
また、オートフォーカス制御機能付きレンズの使用例で説明したが、ＡＦ制御機構はこれに限定されず、固体撮像素子に前後振動駆動装置を装着してオートフォーカス制御を行わせたり、あるいは３個の固体撮像素子をジャストピント位置、前ピント位置及び後ピント位置にそれぞれ配置してオートフォーカス制御を行わせてもよい。
【産業上の利用可能性】
【００６２】
本願発明は、金融機関等で使用するＡＴＭのカードリーダ部外側表面のカード挿入部に、正規ＡＴＭのカード挿入部と殆ど見分けることができない外観のスキミング装置が秘密裏に被装されたとき、スキミング装置自身の厚みの変化を撮像装置によって自動的に検出発見し、警報信号を発報し、かつスキミング装置被装時前後の状況を撮像するもので、既存のＡＴＭを改造することなく、スキミング装置検出システムを独立して構築できる。
【図面の簡単な説明】
【００６３】
【図１】本願発明のスキミング装置検出システムの実施例模式図。
【符号の説明】
【００６４】
１：スキミング装置検出システム
２：ＡＴＭ
３：カード挿入部
４：取引操作部
５：操作画面制御部
６：レンズ
７：撮像装置
８：フォーカスレンズ群
９：固体撮像素子
１０：カメラ回路
１１：メモリ部
１２：映像出力端子
１３：駆動機構
１４：ＡＦ制御部
１５：ゲート部
１６：時計部
１７：録画制御部
１８：録画制御信号出力端子
１９：距離演算部
２０：警報信号
２１：録画・再生装置
２２：モニタ
【図１】
2008225670.tif 000003